(57)【要約】【課題】良く位置付けられて、動揺することがなく、音声の受信がよく、また、構造が簡略化で、コストダウンの効果が得られる、ハンズフリー装置に用いられるマイクロフォン構造を提供する。【解決手段】マイクロフォンユニットとグリップユニットとが含有され、当該グリップユニットは、当該マイクロフォンユニットのハウジングの裏側に接続され、当該マイクロフォンユニットとグリップユニットとにより、固定グリップが構成され、ユーザーの衣服をグリップして固定される。【選択図】図３
0003114334.tif 000002
【実用新案登録請求の範囲】
【請求項１】
ハンズフリー装置に用いられ、
上に制御器が設けられるマイクロフォンユニットと、
当該マイクロフォンユニットの裏側に結合されるグリップユニットと、が含有され、
当該マイクロフォンユニットとグリップユニットとは、固定グリップを構成することを特徴とするマイクロフォン構造。
【請求項２】
当該マイクロフォンユニットは、ハウジングが含有され、当該ハウジングンの内部に、回路が設置され、当該ハウジング上に音声穴が形成され、当該マイクロフォンユニットのハウジングと当該グリップユニットとが、当該固定グリップを構成することを特徴とする請求項１に記載のマイクロフォン構造。
【請求項３】
当該制御器は、アンサーボタンと音量調節ボタンが含有されることを特徴とする請求項１に記載のマイクロフォン構造。
【請求項４】
当該グリップユニットは、グリップシートが含有され、当該グリップシートは、軸支軸により、当該マイクロフォンユニットの裏側の軸支座上に軸支され、当該グリップシートの一端には、グリップ部が形成され、もう一端には、押し部が形成されることを特徴とする請求項１に記載のマイクロフォン構造。
【請求項５】
当該マイクロフォンユニットの裏側には、回転可能なベースが軸着され、当該グリップユニットは、当該ベース上に軸支されることを特徴とする請求項１に記載のマイクロフォン構造。
【請求項６】
当該グリップユニットと当該マイクロフォンユニットとの間には、当該グリップユニットをマイクロフォンユニットの裏側へ向かって押し弾性のグリップ動作を行うねじりコイルばねが設けられることを特徴とする請求項１に記載のマイクロフォン構造。
【考案の詳細な説明】
【技術分野】
【０００１】
本考案は、マイクロフォン構造に関し、特に、ハンズフリー装置に応用されて、ユーザーの衣服上をグリップして固定されるマイクロフォン構造に関する。
【背景技術】
【０００２】
ハンズフリー装置は、幅広く携帯電話に利用されている。図１のように、従来のハンズフリー装置には、イヤホン５とマイクロフォン６とが含有され、当該ハンズフリー装置は、信号線７により携帯電話８に接続され、イヤホン５がユーザーの耳に入れ込まれることにより、携帯電話８の電子信号が人間の耳が聞こえる音声に変換されて聞こえるようになる。また、マイクロフォン６は、ユーザーの口の近くに位置し、ユーザーが話した音声を受信して、音声を電子信号に変換し、そして、携帯電話８へ伝送する。このようなハンズフリー装置としては、例えば、２００３年７月１１日に公告された台湾特許ｔｗ５４２５００号に記載された「ハンズフリー装置」がある。
【０００３】
しかしながら、上記の従来のマイクロフォンは、使用する時、位置付けがよくないため、容易に動揺し、音声の受信に不利である。他の従来のハンズフリー装置としては、図２のように、マイクロフォン６の近くにある信号線７上に、ユーザーの衣服をグリップするためのフリップ９が設けられたものがある。この場合、マイクロフォン６がより良い位置付けられることができ、動揺しにくくなるが、このような信号線７上にフリップ９を追加する方式では、全体の構造が複雑化になり、組み立て上、不便であることだけでなく、コストの増加を招致する。
【０００４】
上記のように、従来のマイクロフォンは、実用上、改良しなければならない不便や欠点が存在する。
【０００５】
本考案者は、上記の欠点を解消するために慎重に研究し、また学理の応用に合わせて、設計が合理的であり有効的に上記の欠点を改善できる本考案を提案した。
【考案の開示】
【考案が解決しようとする課題】
【０００６】
本考案の主な目的は、衣服をグリップして固定され、位置付けが良くて動揺しにくく、また、音声の受信がよく、また、マイクロフォンの元のハウジングとグリップユニットにより固定グリップを構成することにより、全体の構造が簡略化であるため、有効にコストダウンできるマイクロフォン構造を提供する。
【課題を解決するための手段】
【０００７】
本考案は、上記の目的を達成するために、制御器が設けられるマイクロフォンユニットと、当該マイクロフォンユニットの裏側に接続されるグリップユニットとが含有され、当該マイクロフォンユニットとグリップユニットとにより固定グリップが構成されるマイクロフォン構造を提供する。
【０００８】
以下、図面を参照しながら本考案を詳しく説明することにより、本考案の特徴や技術内容が分かるが、図面は、参考や説明に用いられるものであり、本考案は、それに制限されない。
【考案を実施するための最良の形態】
【０００９】
図３乃至図７を参照すると、本考案は、マイクロフォン構造を提供し、特に、ハンズフリー装置に応用され、ユーザーの衣服をグリップできるマイクロフォン構造であり、マイクロフォンユニット１とグリップユニット２とがあり、当該マイクロフォンユニット１は、ハウジング１１が含有され、当該ハウジング１１は、プラスチック等の材料からなる中空のハウジングであり、その外形に制限なく、実用に応じて異なる外形を設計することができ、当該ハウジング１１は、正面１１１、裏側１１２、左側面１１３、及び右側面１１４がある。当該ハウジング１１は、内部に、適当にマイクロフォン回路（図に未表示）が設置され、当該マイクロフォン回路により、ユーザーの話した音声は、受信されて音声を電子信号に変換し、電気的に接続される信号線３を介して携帯電話４へ伝送し（図８参照）、当該マイクロフォンには、更に、イヤホン１０が接続される。
【００１０】
当該ハウジング１１の正面１１１には、音声穴１１５が形成され、当該音声穴１１５は、ハウジング１１の内部まで貫通し、ハウジング１１の内部にある回路がスムーズにユーザーの話した音声を受信するためのものである。当該ハウジング１１の正面１１１と左側面１１３（或いは、図９のように右側面１１４）には、それぞれ、アンサーボタン１２と音量調節ボタン１３とが設けられ、これにより、制御器が構成され、当該アンサーボタン１２と音量調節ボタン１３は、ハウジング１１の内部にある回路と電気的に接続され、当該アンサーボタン１２を押す制御により、携帯電話４にアンサーすることができ、また、当該音量調節ボタン１３を回転することにより、音量の大きさを制御でき、当該アンサーボタン１２と音量調節ボタン１３との設置位置は、制限されず、当該ハウジング１１上の任意の位置でもよく、上記のマイクロフォンユニット１の構造は、やや従来の技術と同じで、本考案の重点ではないため、詳しい説明を省略する。
【００１１】
当該グリップユニット２は、プラスチックや金属材料からなり、当該グリップユニット２には、グリップシート２１が含有される。当該グリップシート２１は、軸支軸２２により、当該マイクロフォンユニット１のハウジング１１の裏側１１２に凸設される軸支座１１６上に軸支され、これにより、当該グリップユニット２は、当該マイクロフォンユニット１の裏側に結合される。当該グリップシート２１の一端には、グリップ部２１１が形成され、もう一端には、押し部２１２が形成され、当該グリップユニット２のグリップシート２１と当該マイクロフォンユニット１のハウジング１１により固定グリップが構成され、また、当該グリップユニット２のグリップシート２１と当該マイクロフォンユニット１のハウジング１１との間には、ねじりコイルばね２３が設けられ、当該ねじりコイルばね２３の二つのばね付き丁番２３１は、それぞれ、グリップシート２１の内側とハウジング１１の裏側１１２に抵当し、グリップシート２１のグリップ部２１１をハウジング１１の裏側１１２へ向かって押し、弾性のあるグリップ動作を行い、上記の構成により、本考案のマイクロフォン構造が形成される。
【００１２】
本考案は、主として、マイクロフォンユニット１のハウジング１１の裏側にグリップユニット２を結合することにより、当該グリップユニット２と当該マイクロフォンユニット１のハウジング１１とが、固定グリップを構成する。ユーザーが当該グリップユニット２のグリップシート２１の一端にある押し部２１２を押すと、当該グリップシート２１のもう一端のグリップ部２１１とマイクロフォンユニット１のハウジング１１とが、より大きい角度に開かれ、ユーザーの衣服をグリップすることが容易であり（図８参照）、ユーザーが当該グリップシート２１の押し部２１２上に印加する力を除去すると、ねじりコイルばね２３により、グリップシート２１のグリップ部２１１とハウジング１１の裏側１１２を押することにより、グリップの動作を行うため、マイクロフォンは、ユーザーの衣服を堅くグリップすることができる。
【００１３】
本考案のマイクロフォンは、ユーザーの衣服をグリップして固定されることができるため、よく位置付けられて、動揺することがなく、音声の受信がよい。本考案は、マイクロフォンユニット１のハウジング１１の裏側に、グリップユニット２を結合することにより、マイクロフォンの既存のハウジング１１とグリップユニット２が固定グリップを構成できるため、全体の構造を簡略化でき、コストダウンの効果が得られる。
【００１４】
また、図９と図１０の他の実施例においては、当該マイクロフォンユニット１のハウジング１１の裏側１１２には、回転可能なベース１１７が軸着され、当該グリップユニット２のグリップシート２１は、当該ベース１１７上に軸支され、そのため、当該グリップユニット２がベース１１７に連動して回転されることにより、当該グリップユニット２とマイクロフォンユニット１との間には、異なる角度に調整されることができ、実用上、より便利的である。
【００１５】
以上のように、本考案は、産業上の実用性や新鋭性及び進歩性を持って、実用新案の要件を満たすため、法に従って実用新案登録請求を出願する。
【００１６】
以上は、本考案のより良い実施例だけであり、本考案に係わる実用新案登録請求の範囲は、それによって、制限されず、本考案に係わる明細書や図面内容に従って色々な等価な構造変化は、全てが、本考案に係わる実用新案登録請求の範囲に含まれている。
【図面の簡単な説明】
【００１７】
【図１】従来のハンズフリーの使用状態の概念図
【図２】他の従来のハンズフリーの立体図
【図３】本考案に係わるマイクロフォンの立体図
【図４】本考案に係わるマイクロフォンの他の角度の立体図
【図５】本考案に係わるマイクロフォンの正面図
【図６】本考案に係わるマイクロフォンの背面図
【図７】本考案に係わるマイクロフォンの側面図
【図８】本考案に係わるマイクロフォンの使用状態の概念図
【図９】本考案の他の実施例のマイクロフォンの立体図
【図１０】本考案の他の実施例のマイクロフォンのグリップユニットが回転する時の立体図
【符号の説明】
【００１８】
５  従来例のイヤホン
６  従来例のマイクロフォン
７  従来例の信号線
８  従来例の携帯電話
９  従来例のフリップ
１  マイクロフォンユニット
１１  ハウジング
１１１  正面
１１２  裏側
１１３  左側面
１１４  右側面
１１５  音声穴
１１６  軸支座
１１７  ベース
１２  アンサーボタン
１３  音量調節ボタン
２  グリップユニット
２１  グリップシート
２１１  グリップ部
２１２  押し部
２２  軸支軸
２３  ねじりコイルばね
２３１  ばね付き丁番
３  信号線
４  携帯電話
１０  イヤホン
【図１】
0003114334.tif 000003
【図２】
0003114334.tif 000004
【図３】
0003114334.tif 000005
【図４】
0003114334.tif 000006
【図５】
0003114334.tif 000007
【図６】
0003114334.tif 000008
【図７】
0003114334.tif 000009
【図８】
0003114334.tif 000010
【図９】
0003114334.tif 000011
【図１０】
0003114334.tif 000012